(57)【要約】【課題】ピストンシリンダ機構を溶融樹脂の流れと直交する側方に配置し、ピストンとバルブピンの作動方向とを９０°偏倚させてピストンの横方向の作動に対して縦方向の往復動をテコ機構及びカム機構を介して一以上のバルブピンを作動させて成形できるようにした射出成形機用横駆動バルブ装置の提供。【解決手段】射出成形操作により溶融樹脂をマニホールド１より複数に分割して得られるキャビティを開閉するバルブピン７の基端に、溶融樹脂の流れの方向と９０°偏倚方向に往復動する駆動用ピストン３にカム機構Ａを設け、このカム機構Ａに係合するテコ機構Ｂを設けて、バルブを開閉するバルプピン７を作動させることができるようにしたことを特徴とする射出成形機用横駆動バルブ装置。【選択図】図１
2012153016.tif 000002
【特許請求の範囲】
【請求項１】
射出成形操作により溶融樹脂をマニホールドより複数に分割して得られるキャビティを開閉するバルブピンの基端に、溶融樹脂の流れの方向と９０°偏倚方向に往復動する駆動用ピストンにカム機構を設け、このカム機構に係合するテコ機構を設けて、バルブを開閉するバルプピンを作動させることができるようにしたことを特徴とする射出成形機用横駆動バルブ装置。
【請求項２】
前記駆動用ピストンのカム機構は、ピストン杆に細径部と太径部と両者を繋ぐテーパー部とより成るカム面を複数形成し、前記バルブピンとこのカム面と係合するテコ機構は、先端係止部と後端係止部とを有する軸支されたアームより成り、先端係止部と後端係止部をカム機構の太径部と細径部に交互に係止させて、一以上のバルブピンを往復動させて一以上のゲートを開閉できるようにしたことを特徴とする請求項１記載の射出成形機用横駆動バルブ装置。
【請求項３】
駆動用ピストンに設けられる細径部と太径部とより成るカム機構を一以上形成し、かつ前記カム機構と係合して可動するテコ機構を一以上設けて、アームを連動するバルブピンを一以上設け、開閉するゲートを一以上設けて成ることを特徴とする請求項１記載の射出成形機用横駆動バルブ装置。
【発明の詳細な説明】
【技術分野】
【０００１】
本発明は、バルブに対してマニホールドの溶融樹脂の流出方向と平行して往復動するバルブピンの作動方向を、バルブピンに対して直交して行うようにした射出成形機用横駆動バルブ装置に関する。
【背景技術】
【０００２】
一般に、この種の射出成形にあっては、プローブに貫通させたバルブピンを溶融樹脂の流れの方向と一致させてピストンの働きで往復駆動させ、バルブピンを開閉させていた。そのため、ピストンとプローブ，バルブは基本的に一直線に並ぶ構成とならざるを得なかった。また、ピストン作動にテコ構造を介在させて側方よりバルブピンを働かせるようとしたものも知られている（例えば、特許文献１及び特許文献２参照）。
【先行技術文献】
【特許文献】
【０００３】
【特許文献１】特開昭５９−１６９８２７号公報
【特許文献２】特開昭５５−１５９９５３号公報
【発明の概要】
【発明が解決しようとする課題】
【０００４】
上述の従来技術にあっては、ピストン，プローブ，バルブピンが直列状に並設される構造のものにあっては、型厚が大きくなり、薄くできないという課題があり、さらにメンテナンスの際、バルブピンが取付板，マニホールドを貫通しているので、全てのゾーンでのバルブピンを抜き去らないと金型を開けることはできないという問題があった。
【０００５】
さらに、特許文献１及び２の先行技術にあっては、テコ構造で型厚を薄くできるが、このテコ構造を働かせるピストンシリンダ機構は溶融樹脂の流れと同一方向に設けられ、有効な型厚の薄肉化は図ることはできないという課題がある。
【０００６】
本発明は叙上の点に着目して成されたもので、ピストンシリンダ機構を溶融樹脂の流れと直交する側方に配置し、ピストンとバルブピンの作動方向とを９０°偏倚させてピストンの横方向の作動に対して縦方向の往復動をテコ機構及びカム機構を介して一以上のバルブピンを作動させて成形できるようにした射出成形機用横駆動バルブ装置を提供するにことにある。
【課題を解決するための手段】
【０００７】
本発明は下記の構成を備えることにより上記課題を解決できるものである。
【０００８】
（１）射出成形操作により溶融樹脂をマニホールドより複数に分割して得られるキャビティを開閉するバルブピンの基端に、溶融樹脂の流れの方向と９０°偏倚方向に往復動する駆動用ピストンにカム機構を設け、このカム機構に係合するテコ機構を設けて、バルブを開閉するバルプピンを作動させることができるようにしたことを特徴とする射出成形機用横駆動バルブ装置。
【０００９】
（２）前記駆動用ピストンのカム機構は、ピストン杆に細径部と太径部と両者を繋ぐテーパー部とより成るカム面を複数形成し、前記バルブピンとこのカム面と係合するテコ機構は、先端係止部と後端係止部とを有する軸支されたアームより成り、先端係止部と後端係止部をカム機構の太径部と細径部に交互に係止させて、一以上のバルブピンを往復動させて一以上のゲートを開閉できるようにしたことを特徴とする前項（１）記載の射出成形機用横駆動バルブ装置。
【００１０】
（３）駆動用ピストンに設けられる細径部と太径部とより成るカム機構を一以上形成し、かつ前記カム機構と係合して可動するテコ機構を一以上設けて、アームを連動するバルブピンを一以上設け、開閉するゲートを一以上設けて成ることを特徴とする前項（１）記載の射出成形機用横駆動バルブ装置。
【発明の効果】
【００１１】
本発明によれば、垂直方向に可動するバルブピンに対し、このバルブピンを作動させる駆動用ピストンは、水平方向の横向きで行わせているので、型厚を薄くできるという効果がある。
【００１２】
そして、単一の駆動用ピストンの往復動に対して複数のカム機構とテコ機構を組み合わせることができるので、複数のバルブピンを働かせて複数のゲートを開閉成形操作できる。
【００１３】
併せて、駆動用ピストンのピストン径に基因するゲートピッチの制約が無くなり、さらにバルブピンが取付板，マニホールドを貫通していないので、プローブからバルブピンを抜き取らずに取付板，マニホールドを取り外すことができる。
【００１４】
そして、作動時に昇温しての分解が必要なくなるので、補修時の作業性が簡単となり、その上、既存のモデルにも使用可能などの効果がある。
【図面の簡単な説明】
【００１５】
【図１】本発明に係る射出成形機用横駆動バルブ装置の一実施例を示す説明斜視図
【図２】図１の作動状態でバルブ開の状態の説明平面図と一部の拡大図
【図３】図１の作動状態でバルブ閉の状態の説明平面図と一部の拡大図
【発明を実施するための形態】
【００１６】
以下本発明を実施するための最良の形態を、実施例により詳しく説明する。
【実施例】
【００１７】
図面について説明する。
【００１８】
１は射出成形機のマニホールド、２，２，……は前記マニホールド１で分割される複数の溶融樹脂のランナ、３は駆動用ピストン、４はピストン杆を示し、この駆動用ピストン３及びピストン杆４は、マニホールド１の下方に設けられている空間５に、ランナ２，２，……と垂直方向の流通路に対して９０°直交した横方向に向けて配設してある。
【００１９】
６，６，……は前記ランナ２，２，……と通ずる溶融樹脂の流路に配設されるプローブ本体であって、中央にはバルブピン７，７，……が移動自在挿通されている。８，８，……は前記駆動用ピストン３のピストン杆４において、前記バルブピン７，７，……に対応して設けられる複数のカム機構Ａの細径部、９，９，……は細径部８，８，……の両端にテーパー部１０，１０を介して設けられる太径部を示し、ピストン杆４自体の径の大きさと同一としている。
【００２０】
１１，１１，……は前記カム機構Ａの細径部８，８，……、太径部９，９，……と係合する複数のテコ機構Ｂの軸支１２，１２，……されたアームで、このアーム１１，１１，……の先端には前記バルブピン７，７，……を係止しており、頭部７ａ，７ａ，……が細径部８，８，……や太径部９，９，……と係止できるようになっており、又、アーム１１，１１，……の後端は、後端係止部１３，１３，……となって、同様に太径部９，９，……や細径部８，８，……と係止できるようになっている。
【００２１】
ところで、駆動用ピストン３の横方向の往復動に対してピストン杆４に複数設けたカム機構Ａはこのカム機構Ａと係合するテコ機構Ｂにより複数のバルブピン７，７，……はアーム１１，１１，……の軸支１２，１２，……による可傾変動により複数のバルブを開閉して所望の射出成形を行わせることができる。
【００２２】
この実施例ではバルブピン７，７，……は３個であるが、２個でも、又は４個以上必要数を、カム機構Ａ及びテコ機構Ｂの増減で容易に実施できる。
【００２３】
この発明によれば、テコ機構Ｂにおけるバルブピン７，７，……の上下動は、バルブピン７，７，……と係止する軸支１２，１２，……されたアーム１１，１１の傾動によって行わせているので、バネなどの弾性部材の介在の必要なく確実に上下動してバルブの開閉操作を確実に行わせることができる。図において、１４はプローブ本体６，６，……を保持する型部材を示す。
【符号の説明】
【００２４】
１    マニホールド
２    ランナ
３    駆動用ピストン
４    ピストン杆
５    空間
６    プローブ本体
７    バルブピン
７ａ  頭部
８    細径部
９    太径部
１０  テーパー部
１１  アーム
１２  軸支
１３  後端係止部
１４    型部材
Ａ    カム機構
Ｂ    テコ機構
【図１】
2012153016.tif 000003
【図２】
2012153016.tif 000004
【図３】
2012153016.tif 000005